(57)【要約】      （修正有）【課題】椅子型収納装置を提供する。【解決手段】椅子型収納装置は、外箱体１と置物箱６からなり、外箱体１の底面はそれぞれ、上下方に、一距離を有する上撓性面材１５と下撓性面材１５１を有し、上撓性面材１５の上面は下板素子を設置し、下板素子上の開口両側に、それぞれ、起立した定位板３を設置する。これらの定位板３上に上板素子を設置し、外箱体１の上面に座椅子となる蓋体５を設置する。外箱体１の前壁は開口を有し、置物箱６は開口から挿入し、且つ、使用者が蓋上に座る時、置物箱６を円滑に出し入れできる。【選択図】図２
0003148732.tif 000002
【実用新案登録請求の範囲】
【請求項１】
椅子型収納装置であって、
前壁、前記前壁に連接する両側壁、及び、前記両側壁に連接する後壁を有し、前記前壁、前記後壁、前記両側壁の下辺は、共同で、上撓性面材と下撓性面材を連接し、前記上撓性面材と前記下撓性面材の間は一距離を有し、前記前壁、前記後壁、前記両側壁の上辺は共同で箱口を構成し、前記前壁は開口を有し、前記開口両側の前壁内側面と対応する前記後壁の内側面は、それぞれ、第一粘接面を有する外箱体と、
前記外箱体の上撓性面材上面に設置される下板素子と、
両垂直辺に、それぞれ、前記第一粘接面と粘合する第二粘接面を有し、前記第一粘接面と前記第二粘接面の粘合により、前記外箱体内の前記開口両側に固定されると共に、前記下板素子上面に位置する二定位板と、
前記二定位板の上面に設置される上板素子と、
前記外箱体の箱口に蓋設される蓋と、
前記外箱体の開口から前記外箱体内に組み合わされる置物箱と、
からなることを特徴とする椅子型収納装置。
【請求項２】
前記蓋の上面は軟性表層で、且つ、前記軟性表層は発泡材料を被覆することを特徴とする請求項１に記載の椅子型収納装置。
【考案の詳細な説明】
【技術分野】
【０００１】
本考案は、収納装置に関するものであって、特に、物品を収納し、座椅子としても使える収納装置に関するものである。
【背景技術】
【０００２】
収納装置は種類が多くあるが、大きく分けると、固定式と折り畳み式の二種ある。固定式の収納装置は、金属、木材、プラスチック等の材料からなる骨組み式の収納架で、不使用時に、収蔵のために、体積を縮小することができない。折り畳み式収納装置は、置物箱や置物棚が湾曲構造を有するので、不使用時に折り畳み、体積を縮小することができる。例えば、撓性布で硬質板を被覆して置物箱を構成し、二板間は撓性布により連接して折り線を形成し、折り線により、置物箱を扁平状に畳むことができる。もう一種の折り畳み式の置物箱、或いは、置物棚は、ヒンジにより相隣する板を連接し、相同の折り畳み功能を達成する。しかし、前述の収納装置は物品を収納するだけで、座椅子として使用できる功能を有さない。
【考案の開示】
【考案が解決しようとする課題】
【０００３】
本考案の目的は、収納装置と座椅子功能を兼備した置物箱を提供し、置物箱に付加価値を提供することにある。
【課題を解決するための手段】
【０００４】
本考案の椅子型収納装置は、外箱体に置物箱を組み合わせ、且つ、置物箱は外箱体に対し水平移動し、引き出しのように物品を収納する功能を有する。外箱体の上面は蓋を有し、蓋上面は軟性表層で、その内部は発泡材料か軟質の材料を充填し、全体が快適な座り心地の椅子になる。
【０００５】
本考案の椅子型収納装置は、外箱体と置物箱が折り畳みの設計であり、撓性布により複数の硬質の板を被覆し、二板間は撓性布により連接して折り線を形成し、外箱体、或いは、置物箱を小体積の扁平状に折り畳むことができる。
【０００６】
人体の重量が外箱体に加重されたあと、置物箱が外箱体から円滑に出し入れできなくなるのを防止するため、本考案の椅子型収納装置は、外箱体の底部に緩衝空間を設置し、緩衝空間により外箱体が人体の重量を受ける時に生成される変形を吸収し、置物箱が外箱体から円滑に出入りできるようにする。  
【０００７】
本考案の椅子型収納装置は、外箱体と置物箱からなり、外箱体の底面はそれぞれ、上下方に、一距離を有する上撓性面材と下撓性面材を有し、上撓性面材の上面は下板素子を設置し、下板素子上の開口両側に、それぞれ、起立した定位板を設置する。これらの定位板上に上板素子を設置し、外箱体の上面に座椅子となる蓋体を設置する。外箱体の前壁は開口を有し、置物箱は開口から滑入し、且つ、使用者が蓋上に座る時、置物箱を円滑に出し入れできる。
【０００８】
外箱体は、撓性布により板を被覆し、外箱全体は前壁、前壁と連接する両側壁、及び、両側壁と連接する後壁を有し、前壁、後壁、両側壁の下辺は、共同で、上撓性面材と下撓性面材を連接し、且つ、上撓性面材と下撓性面材間には一距離を有し、この距離により前述の緩衝空間を構成する。前後壁と両側壁の上辺は、共同で、箱口を構成し、前壁は開口を有し、開口両側の外箱体内部は起立した定位板を設置し、両定位板により開口両側の導引素子とする。下板素子は、直接、外箱体の上撓性面材上面に設置し、定位板は下板素子上に設置し、上板素子は定位板上面に設置する。
【考案の効果】
【０００９】
本考案により、収納装置に座椅子功能を備え、置物箱の付加価値させる。
【考案を実施するための最良の形態】
【００１０】
図１と図２は、本考案の椅子型収納装置の好ましい実施例を示す図で、外箱体１と置物箱６からなる。外箱体１の前面は開口１０を有し、置物箱６は、直接、開口１０から外箱体１内に推入して収納してもよいし、開口から引き出して物品を取り出すこともできる。外箱体１の上方は、座椅子となる蓋５を覆設する。
【００１１】
図２と図３で示されるように、本考案の外箱体１は、撓性布により複数の板を被覆して、縫い線により固定してなり、外箱体１は、前壁１１、前壁１１と連接する両側壁１３、及び、両側壁１３と連接する後壁１２を有し、側壁１３は、更に、二個の独立した板素子を被覆し、二板間は、撓性布により連接し、垂直の折り線１４を構成し、側壁１３が折り畳める。前壁１１、後壁１２、両側壁１３の下辺は、共同で、それぞれ、上方と下方に位置する上撓性面材１５と下撓性面材１５１を連接し、且つ、上撓性面材１５と下撓性面材１５１間には一距離を有し、この距離により緩衝空間を構成する。前後壁１１、１２と両側壁１３の上辺は、共同で、箱口を構成し、前壁１１は開口１０を有し、開口１０両側の外箱体内部は起立した定位板３を設置し、両定位板３を開口１０両側の導引素子とし、同時に、外箱体１の補強構造となる。
【００１２】
図３は本考案の定位板３と外箱体１の組み合わせ構造を示し、外箱体１の開口１０両側の前壁１１内側面と対応する後壁１２の内側面は、それぞれ、第一粘接面１６を設置し、両定位板３の両垂直辺は、それぞれ、折り板３１を連接し、折り板３１の外側面は、第一粘接面１６と粘合する第二粘接面３２を設置し、第一粘接面１６と第二粘接面３２の粘合により、二定位板３が外箱体１内の開口１０両側に固定される。定位板３を外箱体１に固定する前、まず、硬質の下板素子２を外箱体１内の上撓性面材１５上に放入し、その後、定位板３を前述の方式で外箱体１に固定し、定位板３を下板素子２上に配置し、その後、硬質の上板素子４を定位板３上面に設置し、最後に、蓋５を外箱体１上方に蓋設する。
【００１３】
図４を参照すると、椅子の座り心地を快適にするため、本考案の蓋５は軟性面材を外表層とし、外表層内部に発泡材料５１か軟性材料を充填する。
【００１４】
図３は、本考案の置物箱６の構造を示し、撓性布で複数の板を被覆して、縫い線により固定してなり、置物箱６は、前壁６１、前壁６１と連接する両側壁６３、及び、両側壁６３と連接する後壁６２を有し、側壁６３は、更に、二個の独立した板素子を被覆し、二板間は、撓性布により連接し、垂直の折り線６４を構成し、側壁６３が折り畳める。前壁の外側は取っ手を縫いつけ、使用者は、置物箱６を外箱体１から引き出すのが便利である。
【００１５】
前述の構造により、使用者が外箱体１上方の蓋５に座る時、大部分の重量が外箱体１と定位板３により支承されるが、置物箱６は人体の重量作用を受けて、外箱体に円滑に進入できなくなり、よって、本考案は、外箱体１底部の上撓性面材１５と下撓性面材１５１間の空間により緩衝空間を提供し（図２と図４で示される）、上撓性面材１５と下板素子２が力を受けると、若干下に下降して、置物箱６が引っかかるのを防止する。
【図面の簡単な説明】
【００１６】
【図１】本考案の外観立体図である。
【図２】本考案の置物箱を外箱体から取り出した状態の立体図である。
【図３】本考案の主要素子の組み合わせ関係を示す立体分解図である。
【図４】本考案の構造平面図である。
【符号の説明】
【００１７】
外箱体１
定位板３
蓋５
置物箱６
開口１０
前壁１１
後壁１２
側壁１３
折り線１４
上撓性面材１５
第一粘接面１６
下撓性面材１５１
折り板３１
第二粘接面３２
発泡材料５１
前壁６１
後壁６２
両側壁６３
折り線６４
【図１】
0003148732.tif 000003
【図２】
0003148732.tif 000004
【図３】
0003148732.tif 000005
【図４】
0003148732.tif 000006